【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
第１のアンテナエレメントと、
前記第１のアンテナエレメントが形成された第１の基板と、
前記第１のアンテナエレメントに接続される回路が設けられた第２の基板と、
前記第２の基板に設けられる第２のアンテナエレメントと、を備えることを特徴とする統合アンテナ。
【請求項２】
前記第２の基板が誘電体基板であることを特徴とする請求項１に記載の統合アンテナ。
【請求項３】
前記第１の基板が、フィルム状の誘電体基板、又は自動車のボディを構成する誘電体の一部であることを特徴とする請求項１または２に記載の統合アンテナ。
【請求項４】
前記第２のアンテナエレメントは前記第２の基板の一方の面に形成され、
前記第２の基板の他方の面側で、前記第２のアンテナエレメントに対向し、かつ前記第２の基板に略平行、又は前記第２の基板に対して傾斜して配置される第１の板状導体を備えることを特徴とする請求項１から３の何れか１項に記載の統合アンテナ。
【請求項５】
前記第２の基板の一方の面に形成される他のアンテナエレメントと、
前記第２の基板の他方の面側で、前記他のアンテナエレメントに対向し、かつ前記第２の基板に略平行、又は前記第２の基板に対して傾斜して配置される第２の板状導体を備えることを特徴とする請求項１から４の何れか１項に記載の統合アンテナ。
【請求項６】
前記第２の基板の一方の面は、電波到来方向であることを特徴とする請求項１から５の何れか１項に記載の統合アンテナ。
【請求項７】
前記板状導体は、前記第２の基板から離れた位置に配置されることを特徴とする請求項４から６の何れか１項に記載の統合アンテナ。
【請求項８】
前記板状導体と前記第２の基板の間に設けられる誘電体部材を備えることを特徴とする請求項７に記載の統合アンテナ。
【請求項９】
前記板状導体は、前記第２の基板に隙間無く配置されることを特徴とする請求項４から６の何れか１項に記載の統合アンテナ。
【請求項１０】
前記第１の板状導体と前記第２の板状導体が一体であることを特徴とする請求項５に記載の統合アンテナ。
【請求項１１】
前記第２の基板が多層基板で構成され、
前記回路のアースパターンが前記多層基板の中間層に形成されることを特徴とする請求項４から１０の何れか１項に記載の統合アンテナ。
【請求項１２】
前記第２の基板に設けられ、前記第１のアンテナエレメント及び前記第２のアンテナエレメントで受信した信号を合成する合成器を備えることを特徴とする請求項１から１１の何れか１項に記載の統合アンテナ。
【請求項１３】
前記第１のアンテナエレメント及び前記第２のアンテナエレメントの少なくとも一方が円偏波受信用のアンテナエレメントであることを特徴とする請求項１から１２の何れか１項に記載の統合アンテナ。
【請求項１４】
前記円偏波受信用のアンテナエレメントが、ループ状の線状導体と、該線状導体と接続されない線状導体とから構成されることを特徴とする請求項１３に記載の統合アンテナ。
【請求項１５】
第１のアンテナエレメントと、
前記第１のアンテナエレメントが形成された第１の基板と、
前記第１のアンテナエレメントに接続される回路を有するコネクタと、
前記回路が設けられる第２の基板と、
前記第２の基板に設けられる第２のアンテナエレメントと、
前記第１のアンテナエレメント及び前記第２のアンテナエレメントの少なくとも一方で受信した受信信号を外側に引き出すケーブルとを備えることを特徴とする統合アンテナ装置。
【請求項１６】
第１のアンテナエレメントと、
前記第１のアンテナエレメントが形成された第１の基板と、
前記第１のアンテナエレメントに接続される回路を有するコネクタと、
前記回路が設けられる第２の基板と、
前記第２の基板に設けられる第２のアンテナエレメントと、
前記第１のアンテナエレメント及び前記第２のアンテナエレメントの少なくとも一方で受信した受信信号を外側に引き出すケーブルと、
前記受信信号が前記ケーブルを介して入力され、前記受信信号を処理する受信機と、を備えることを特徴とする受信装置。
【手続補正２】
【補正対象書類名】明細書
【補正対象項目名】発明の名称
【補正方法】変更
【補正の内容】
【発明の名称】統合アンテナ、統合アンテナ装置、及び受信装置
【手続補正３】
【補正対象書類名】明細書
【補正対象項目名】０００１
【補正方法】変更
【補正の内容】
【０００１】
本発明は統合アンテナ、統合アンテナ装置、及び受信装置に関し、特に、自動車等の移動体において、移動体のデザインを損ねることなく移動体に取り付けられて、円偏波を含む電波を受信、或いは送信、又は送受信することが可能な、小型で軽量、かつ薄型の統合アンテナ、統合アンテナ装置、及び受信装置に関する。
【手続補正４】
【補正対象書類名】明細書
【補正対象項目名】００１１
【補正方法】変更
【補正の内容】
【００１１】
即ち、本発明の目的は、車両に搭載される薄型のアンテナに接続するコネクタの誘電体基板にもアンテナを搭載することにより、より多くの種類の電波を受信することが可能な統合アンテナ、統合アンテナ装置、及び受信装置を提供することである。
【手続補正５】
【補正対象書類名】明細書
【補正対象項目名】００１２
【補正方法】変更
【補正の内容】
【００１２】
前記目的を達成する本発明の統合アンテナ、統合アンテナ装置、及び受信装置は、以下の第１から第３の形態をとることができる。
【手続補正６】
【補正対象書類名】明細書
【補正対象項目名】００１３
【補正方法】変更
【補正の内容】
【００１３】
第１の形態は、第１のアンテナエレメントと、第１のアンテナエレメントが形成された第１の基板と、第１のアンテナエレメントに接続される回路が設けられた第２の基板と、第２の基板に設けられる第２のアンテナエレメントとを備えることを特徴とする統合アンテナである。
【手続補正７】
【補正対象書類名】明細書
【補正対象項目名】００１４
【補正方法】変更
【補正の内容】
【００１４】
第２の形態は、第１のアンテナエレメントと、第１のアンテナエレメントが形成された第１の基板と、第１のアンテナエレメントに接続される回路を有するコネクタと、回路が設けられる第２の基板と、第２の基板に設けられる第２のアンテナエレメントと、第１のアンテナエレメント及び第２のアンテナエレメントの少なくとも一方で受信した受信信号を外側に引き出すケーブルとを備えることを特徴とする統合アンテナ装置である。
【手続補正８】
【補正対象書類名】明細書
【補正対象項目名】００１５
【補正方法】変更
【補正の内容】
【００１５】
第３の形態は、第１のアンテナエレメントと、第１のアンテナエレメントが形成された第１の基板と、第１のアンテナエレメントに接続される回路を有するコネクタと、回路が設けられる第２の基板と、第２の基板に設けられる第２のアンテナエレメントと、第１のアンテナエレメント及び第２のアンテナエレメントの少なくとも一方で受信した受信信号を外側に引き出すケーブルと、受信信号が前記ケーブルを介して入力され、受信信号を処理する受信機とを備えることを特徴とする受信装置である。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】